(57)【要約】【課題】床パンの剛性強度の低下を回避しつつ防音シートの貼着施工性を向上できる床パンの防音構造を提供する。【解決手段】合成樹脂製の床パン１の下面に格子状に補強リブ３を突設してこの補強リブ３で床パン下方空間を小分け空間４に分割する。補強リブ３に切欠５を設けて隣接する小分け空間４を切欠５で連通させてグループ空間６を形成する。切欠５に位置させる連結部２ｂと小分け空間４に位置させる主体部２ａとを一体化して防音シート２をグループ空間６と同形状に形成する。防音シート２をグループ空間６に臨む床パン１の下面に貼着する。少なくともグループ空間６の一部に重なるように配置した補強板７を補強リブ３の下側に沿わせて取り付ける。【選択図】図１
2008133619.tif 000002
【特許請求の範囲】
【請求項１】
合成樹脂製の床パンの下面に格子状に補強リブを突設してこの補強リブで床パン下方空間を小分け空間に分割し、補強リブに切欠を設けて隣接する小分け空間を切欠で連通させてグループ空間を形成し、切欠に位置させる連結部と小分け空間に位置させる主体部とを一体化して防音シートをグループ空間と同形状に形成し、この防音シートをグループ空間に臨む床パンの下面に貼着し、少なくともグループ空間の一部に重なるように配置した補強板を補強リブの下側に沿わせて取り付けたことを特徴とする床パンの防音構造。
【発明の詳細な説明】
【技術分野】
【０００１】
本発明は、床パンの防音構造に関するものである。
【背景技術】
【０００２】
従来から、合成樹脂製の床パン１は物をぶつけたり落としたりした際に衝撃音等の騒音が大きく発生する傾向があり、この騒音の低減化を図って床パン１の下面には防音シート２がしばしば貼着される。ここで、合成樹脂製の床パン１の下面には図４のように剛性強度を高めるために格子状に補強リブ３が下方に突設されることが多く、このような床パン１の下面に防音シート２を貼着する場合には、補強リブ３で分割された小分け空間４ごとに細切れにした防音シート２を１つずつ貼着して対応しており、極めて施工性が悪いという問題を有する。
【０００３】
たとえば補強リブ３の一部を切り欠いて複数の小分け空間４を連通させたグループ空間６を形成し、グループ空間６ごとに防音シート２を貼着することで、防音シート２の貼着回数を減らすことができて防音シート２の貼着施工の施工性を良好にできるのであるが、今度は補強リブ３を切り欠いたことで床パン１の剛性強度が低下してしまう、といった新たな問題が発生する。
【特許文献１】実開平４−３７６６８号公報
【発明の開示】
【発明が解決しようとする課題】
【０００４】
本発明は上記の点に鑑みてなされたものであり、その目的とするところは、床パンの剛性強度の低下を回避しつつ防音シートの貼着施工性を向上できる床パンの防音構造を提供することを課題とするものである。
【課題を解決するための手段】
【０００５】
上記課題を解決するために請求項１に係る床パンの防音構造にあっては、合成樹脂製の床パン１の下面に格子状に補強リブ３を突設してこの補強リブ３で床パン下方空間を小分け空間４に分割し、補強リブ３に切欠５を設けて隣接する小分け空間４を切欠５で連通させてグループ空間６を形成し、切欠５に位置させる連結部２ｂと小分け空間４に位置させる主体部２ａとを一体化して防音シート２をグループ空間６と同形状に形成し、この防音シート２をグループ空間６に臨む床パン１の下面に貼着し、少なくともグループ空間６の一部に重なるように配置した補強板７を補強リブ３の下側に沿わせて取り付けたことを特徴とする。
【０００６】
これによると、合成樹脂製の床パン１の下面に格子状に補強リブ３を突設してこの補強リブ３で床パン下方空間を小分け空間４に分割し、補強リブ３に切欠５を設けて隣接する小分け空間４を切欠５で連通させてグループ空間６を形成し、グループ空間６と同形状の防音シート２を、連結部２ｂを切欠５に位置させると共に主体部２ａを小分け空間４に位置させて、グループ空間６に臨む床パン１の下面に貼着したので、従来行われている小分け空間４ごとに細切れにした防音シート２を１つずつ貼着する施工に比べて、防音シート２の貼着回数を減らすことができて防音シート２の貼着施工の施工性を良好にできるのであり、ここで、補強リブ３に切欠５を設けたことによると床パン１の剛性強度は低下するが、少なくともグループ空間６の一部に重なるように配置した補強板７を補強リブ３の下側に沿わせて取り付けたので、補強板７によって床パン１の剛性強度を向上できる。すなわち、床パン１の剛性強度の低下を回避しつつ防音シート２の貼着施工性を向上できるのである。
【発明の効果】
【０００７】
本発明にあっては、床パンの剛性強度の低下を回避しつつ防音シートの貼着施工性を向上できる利点を有する。
【発明を実施するための最良の形態】
【０００８】
以下、本発明を添付図面に示す実施形態に基いて説明する。
【０００９】
本例の床パン１は、浴室の洗い場を構成させる洗い場用床パンであり、平面視略矩形状でＦＲＰ等の合成樹脂成形品から成る。床パン１にはその端部に上下に貫通する排水口８が形成されており、床パン１の上面には排水口８に向かって下り傾斜する水勾配が形成されている。本例では排水口８は、床パン１の四周端部における浴槽側端部となる長辺部分の中央部に形成されている。
【００１０】
図１や図２のように、床パン１の下面には床パン１の剛性強度を高める補強リブ３が突設されている。補強リブ３は、床パン１の長手方向に平行な複数の縦リブ３ａと床パン１の短手方向に平行な複数の横リブ３ｂとを各々直交するように交差させて格子状に配置して形成されている。補強リブ３によると床パン下方空間を小分け空間４に分割することとなるが、補強リブ３には所々に切欠５が形成されており、隣接する小分け空間４が切欠５で連通されて成るグループ空間６が形成されている。
【００１１】
本例では、床パン１の端縁部では補強リブ３が比較的密に形成され比較的小型の小分け空間４ａが形成されており、上記床パン１の端縁部以外の部位（床パン１の中央部）では補強リブ３が比較的疎に形成され比較的大型の小分け空間４ｂが形成されている。上記大型の小分け空間４ｂは囲繞する横リブ３ｂが縦リブ３ａに比べて長くなるような横長の平面視矩形状に形成されており、この大型の小分け空間４ｂの長辺となる横リブ３ｂに切欠５が形成されて、床パン１の長手方向に隣接する大型の小分け空間４ｂ同士が切欠５で連通されてグループ空間６が形成されている。更に詳しくは、本例の大型の小分け空間４ｂは床パン１の短手方向に２つ並んで床パン１の長手方向に平行に列を形成するように複数個形成されているが、床パン１の長手方向の中央線上に位置する横リブ３ｂや床パン１の中央部と端縁部との境界に位置する横リブ３ｂには切欠５を形成させず、つまり複数の大型の小分け空間４ｂは同形状の４つのグループ空間６を構成するようになっている。
【００１２】
床パン１の下面には床パン１の防音性能の向上を期してゴム製の防音シート２が接着剤等で貼着されるのであるが、本例の防音シート２は、切欠５に位置させる連結部２ｂと小分け空間４に位置させる主体部２ａとを一体化して平面視でグループ空間６と略同形状に形成され、補強リブ３の切欠５に連結部２ｂを通して各小分け空間４に主体部２ａを位置させるようにしてグループ空間６に臨む床パン１の下面に貼着される。このように本例では、防音シート２は複数の小分け空間４を切欠５で連通させてグループ化したグループ空間６ごとに貼着施工しているので、従来行われている小分け空間４ごとに細切れにした防音シート２を１つずつ貼着する施工に比べて、防音シート２の貼着回数を減らすことができて防音シート２の貼着施工の施工性を良好にできたものである。
【００１３】
なお、図１では便宜上、防音シート２を一のグループ空間６に貼着した状態を示したが、実際には図２のように全てのグループ空間６にそれぞれ防音シート２を貼着する。ここで、本例では床パン１が撓み振動し易い中央部の大型の小分け空間４ｂにのみ防音シート２を貼着させているが、床パン１の周縁部の小型の小分け空間４ａにも防音シート２を貼着してもよいのは言うまでもない。
【００１４】
また、上記のように防音シート２の貼着施工の施工性を良好にするために補強リブ３に切欠５を設けると切欠５の近傍（すなわち床パン１のグループ空間６）で床パン１の剛性強度は低下するが、本例では少なくともグループ空間６の一部に重なるように配置した金属製の補強板７を、補強リブ３の下側に沿わせて床パン１に取り付けたことで、上記強度低下の回避を図っている。
【００１５】
ここで、補強リブ３における縦リブ３ａと横リブ３ｂとの多数ある交差部のうち、任意の複数の交差部には各リブの厚みよりも大径のボス部９が形成されている。具体的に、ボス部９は、グループ空間６を構成する縦リブ３ａと横リブ３ｂとの交差部や、グループ空間６の近傍（周囲）の縦リブ３ａと横リブ３ｂとの交差部に形成されている。図３のように、ボス部９の下面の中央には補強板７を取り付けるために用いるネジのような固着具１１がねじ込まれる下孔１０が穿設されており、すなわちボス部９は補強板７の取付部となっている。なお、補強リブ３における縦リブ３ａと横リブ３ｂとの多数ある交差部のうち、任意の複数の交差部には各リブの厚みよりも大径の筒状部１２が形成され、この筒状部１２はインサートナット１５を固着して脚部取り付け部を形成している。インサートナット１５には図示しない脚部に設けた上下動自在なアジャスタボルトの上端部が螺合され、床パン１は脚部を介してスラブ床等の浴室設置面上に高さ調節をして設置可能にされている。本例ではボス部９や筒状部１２はその下面が補強リブ３の下面よりも３ミリほど下方に突出するように形成されている。
【００１６】
また、補強板７は矩形状の金属板の一辺側端部（すなわち組立時における排水口８側の端部）の中央部を矩形状に切り欠いて形成したもので、この補強板７には上記下孔１０に対応する位置に固着具挿通孔１２が穿設されると共に、筒状部１２に対応する位置に筒状部用通孔１４が穿設されている。この補強板７は、固着具１１を固着具挿通孔１２に下方から挿通させて取付部の下孔１０に螺入させることで、床パン１の補強リブ３の下側に取り付けられる。本例の固着具１１にはタッピングネジが用いられ、下孔１０に固着具１１の雄ネジ部１１ａを食い込ませて螺入させており、補強板７を強固に床パン１に取り付け可能にしている。
【００１７】
上記のように補強板７は、補強リブ３に切欠５が設けられて強度が低下しているグループ空間６の少なくとも一部に重なるように配置された上で、補強リブ３の下側に沿わせて床パン１に取り付けることで、上記強度低下の回避がされている。詳しくは、本例の床パン１は、上述のようにその周縁部では補強リブ３を密に形成してあって比較的剛性強度は高いものとされているが、その中央部では補強リブ３が疎に形成されると共にグループ空間６を構成するべく補強リブ３に切欠５が形成されて比較的剛性強度は低くなっている。なお、切欠５は横リブ３ｂに形成されているから床パン１の横方向（短手方向）に撓み易く（剛性強度が弱く）なっている。そして、この補強板７は、床パン１の横方向の周縁部間に中央部を通って渡すように配置されて床パン１に取り付けられているから、効果的に床パン１の剛性補強が為されている。
【００１８】
このように本例では、防音シート２の貼着施工性を向上させながらも、床パン１の剛性強度の低下を回避できたものである。なお、補強板７の固着具挿通孔１２の径を固着具１１の雄ネジ部１１ａの径よりも小さくして、固着具１１の雄ネジ部１１ａを固着具挿通孔１２の内面に食い込ませるようにしても、固着具１１と補強板７とを強固に固定できて好ましい。無論、下孔１０の内面に雌ネジを刻設して固着具１１の雄ネジ部１１ａを接合可能にしてもよいのは言うまでもない。また、補強板７は剛性強度が高い板であれば金属製でなくとも床パン１に剛性補強効果を付与できるのは言うまでもない。
【図面の簡単な説明】
【００１９】
【図１】本発明の実施の形態の例の防音シートの貼着を説明する床パンの下面図である。
【図２】同上の床パンの下側からの斜視図である。
【図３】同上の補強板の床パンへの取付けを説明する説明図であり、要部の一部切欠側断面図である。
【図４】従来技術の例の防音シートの貼着を説明する床パンの下面図である。
【符号の説明】
【００２０】
１  床パン
２  防音シート
３  補強リブ
４  小分け空間
５  切欠
６  グループ空間
７  補強板
【図１】
2008133619.tif 000003
【図２】
2008133619.tif 000004
【図３】
2008133619.tif 000005
【図４】
2008133619.tif 000006